(57)【特許請求の範囲】
【請求項１】
機器を保持するベースと、前記機器を覆い前記ベースに被せるカバーとを備え、前記ベース及び前記カバーのいずれか一方には、回動可能であり、フックを有するストッパが取り付けられたストッパ取り付け部が設けられ、他方には、前記ストッパが回動されることにより前記フックが係止する係止体が設けられたロック機構において、
前記ストッパ取り付け部には、突起が形成され、
前記ストッパには、前記フックが前記係止体に係止する際に前記突起を乗り越えて前記突起に当接して、
前記ストッパの係止解除方向への回動を抑制する突起が形成され、
前記ストッパは該ストッパの後端側に鍔状部を有し、一方の前記突起が他方の前記突起を乗り越えるときに、前記突起が互いに接触する接点から前記ストッパの後端側方向に間隙が形成される
ことを特徴とするロック機構。
【請求項２】
前記ストッパ取り付け部の前記突起は該ストッパ取り付け部の外周面に設けられ、
前記ストッパの前記突起は前記鍔状部より外側に設けられた
ことを特徴とする請求項１記載のロック機構。
【請求項３】
機器を保持するベースと、前記機器を覆い前記ベースに被せるカバーとを備え、前記ベース及び前記カバーのいずれか一方には、回動可能であり、フックを有するストッパが取り付けられたストッパ取り付け部が設けられ、他方には、前記ストッパが回動されることにより前記フックが係止する係止体が設けられたロック機構において、
前記ストッパ取り付け部には、突起が形成され、
前記ストッパには、前記フックが前記係止体に係止する際に前記突起を乗り越えて前記突起に当接して、
前記ストッパの係止解除方向への回動を抑制する突起が形成され、
前記ストッパ取り付け部の前記突起は該ストッパ取り付け部の外周面に設けられ、
前記ストッパは該ストッパの後端側に鍔状部を有し、前記ストッパの前記突起は前記鍔状部より外側に設けられた
ことを特徴とするロック機構。
【請求項４】
前記ストッパの突起は前記ストッパの後端側から外側に延伸した前記フックに設けられた
ことを特徴とする請求項２または請求項３記載のロック機構。
【請求項５】
前記ストッパには、先端側に前記ストッパ取り付け部と係合する係合部と、前記ストッパを前記ストッパ取り付け部に取り付ける際に前記先端側を弾性変形させるスリット部とが形成される
ことを特徴とする請求項１から請求項４のうちのいずれか１項記載のロック機構。
【発明の詳細な説明】
【技術分野】
【０００１】
この発明は、天井や壁面などの高所に設置して使用される監視カメラ装置において、カバーを監視カメラの台座（ベース）にロックするロック機構に関するものである。
【背景技術】
【０００２】
従来の天井や壁面などの高所に設置して使用される監視カメラ装置は、ベースを天井や壁面に固定し、ベースにカメラユニットを取り付けた後、カメラに覆うようにカバーをベースに被せてロックすることによって、設置している（例えば、特許文献１参照）。
【０００３】
ここで、カバーをベースにロックする方法として、カバーとベースにフックと係止体を取り付け、このフックを係止体に係止してロックする方法がある。また、このフックにはフックの係止方向への回動により圧縮されるバネが取り付けられ、この圧縮されたバネのフックへの付勢力により振動等によってフックが係止解除方向に回動することを抑制している。
【先行技術文献】
【特許文献】
【０００４】
【特許文献１】特開２００３−１８９１３８号公報（第１３−１６項、第５−７図）
【発明の概要】
【発明が解決しようとする課題】
【０００５】
特許文献１に開示される従来のロック機構では、振動によってフックと係止体との係止が解除されることを防止する回動抑制機能をバネにより実現している。そのため部品としてバネが必要であり、部品点数が多くなるという課題がある。また、組み立てる際にはバネの取付けが必要であり、時間がかかるという課題があった。
【０００６】
さらに、フックをカバーまたはベースに固定するために金具またはナットを用いているため、これによっても部品点数が多くなるという課題があり、組み立てる際に、金具による固定、またはナットによる螺着作業があり、時間がかかるという課題もあった。
【０００７】
この発明は、上記のような課題を解決するためになされたもので、バネを用いることなく回動抑制機能を実現することで、部品点数を削減し、組み立てに要する時間を短縮することができるロック機構を提供することを目的としている。
【課題を解決するための手段】
【０００８】
この発明に係るロック機構は、ストッパ取り付け部には、突起が形成され、ストッパには、フックが係止体に係止する際に突起を乗り越えて突起に当接して、ストッパの係止解除方向への回動を抑制する突起が形成され、ストッパは該ストッパの後端側に鍔状部を有し、一方の突起が他方の突起を乗り越えるときに、突起が互いに接触する接点から前記ストッパの後端側方向に間隙が形成されるものである。
【発明の効果】
【０００９】
この発明によれば、上記のように構成したので、ストッパ取り付け部には、突起が形成され、ストッパには、フックが係止体に係止する際に突起を乗り越えて突起に当接して、ストッパの係止解除方向への回動を抑制する突起が形成されることで、バネが不要となり、部品点数が削減でき、組み立てに要する時間を短縮することができる。
【図面の簡単な説明】
【００１０】
【図１】この発明の実施の形態１に係るロック機構を有する監視カメラ装置の構成を示す斜視図である。
【図２】この発明の実施の形態１におけるカバーの構成を示す斜視図である。
【図３】この発明の実施の形態１におけるストッパ取付け部を示す斜視図である。
【図４】この発明の実施の形態１におけるカバーストッパの構成を示す斜視図である。
【図５】この発明の実施の形態１におけるカバーストッパをストッパ取り付け部に取り付けた状態を示す断面図である。
【図６】この発明の実施の形態１におけるフックと係止体との係止を示す斜視図である。
【図７】この発明の実施の形態１におけるカバーストッパが係止位置にある状態を示す（ａ）斜視図であり、（ｂ）カバーストッパを回動軸に垂直な平面で切断した断面図である。
【図８】この発明の実施の形態２に係るロック機構を有する監視カメラ装置の構成を示す斜視図である。
【発明を実施するための形態】
【００１１】
以下、この発明の実施の形態について図面を参照しながら詳細に説明する。
実施の形態１．
図１はこの発明の実施の形態１に係るロック機構を有する監視カメラ装置の構成を示す斜視図である。また、図２はこの発明の実施の形態１におけるカバー３の構成を示す斜視図である。
監視カメラ装置は、図１に示すように、ベース１、カメラユニット２及びカバー３から構成される。
【００１２】
ベース１は、カメラユニット２が保持される台座として機能するものであり、ネジ等によって天井や壁面などの所定の設置位置に設置される。このベース１には係止体１１が設けられている。
カメラユニット２は、レンズ２１を介して監視領域を撮像するものである。このカメラユニット２は、ベース１に取り付けられて保持される。
【００１３】
カバー３は、カメラユニット２を覆うようにベース１に被せてロックすることで、カメラユニット２を、塵埃、カビ、昆虫などの外部の干渉要因から保護するものである。このカバー３は、図１，２に示すように、一端がヒンジ４を介してベース１に回動可能に連結され、他端に設けられたストッパ取り付け部５にはカバーストッパ６が取り付けられている。
【００１４】
図３はこの発明の実施の形態１におけるストッパ取り付け部５の構成を示す斜視図である。
ストッパ取り付け部５は、円筒状に形成され、カバーストッパ６を取り付けるものである。このストッパ取り付け部５は、図３に示すように、段差部５１、突起５２ａ，５２ｂ及び凹部５３から構成される。
【００１５】
段差部５１は、ストッパ取り付け部５内周面の上端側に形成されたものである。
突起５２ａ，５２ｂは、ストッパ取り付け部５の外周面に所定の位置に軸心に沿って平行に形成されたものである。
凹部５３は、ストッパ取り付け部５の下端の一部を切り欠くことにより形成されたものである。
【００１６】
図４はこの発明の実施の形態１におけるカバーストッパ６の構成を示す斜視図である。
カバーストッパ６は、ベース１にカバー３を被せた状態で回動されることで、カバー３がベース１から外れないようにロックするものである。このカバーストッパ６は、図４に示すように、係合部６１、回動操作部６２、スリット部６３、フック６４、突起６５、凸部６６及び鍔状部６７から構成される。
【００１７】
係合部６１は、カバーストッパ６をストッパ取り付け部５に固定するものである。この係合部６１は、カバーストッパ６の先端側に形成され、ストッパ取り付け部５の段差部５１に係合する。
回動操作部６２は、ドライバーなどの工具が挿し込まれてカバーストッパ６を回動させるものである。この回動操作部６２は、カバーストッパ６の先端に十字状の溝が形成されて構成される。
【００１８】
スリット部６３は、カバーストッパ６をストッパ取り付け部５に取り付ける際に、カバーストッパ６の先端側を弾性変形させて係合部６１をストッパ取り付け部５に挿入させるものである。このスリット部６３は、回動操作部６２の溝を深くすることにより形成される。
フック６４は、カバーストッパ６が回動された際に係止体１１と係止してカバー３がベース１から外れないようにロックするものである。このフック６４は、カバーストッパ６の後端側に設けられる。
【００１９】
突起６５は、カバーストッパ６が係止位置に回動する際に、突起５２ａを乗り越えて突起５２ａに当接することで、振動等によって、カバーストッパ６が係止解除方向に回動することを抑制するものである。この突起６５は、カバーストッパ６の後端側に設けられる。
また、突起６５は、カバーストッパ６が解除位置に回動する際に、突起５２ｂを乗り越えて突起５２ｂに当接することで、振動等によって、カバーストッパ６が係止方向に回動することを抑制する。
【００２０】
凸部６６は、カバーストッパ６が回動する際に凹部５３の壁部に当接することで、フック６４の回動範囲を制限するものである。この凸部６６は、カバーストッパ６の後端側に段差を設けて形成される。
【００２１】
なお、ストッパ取り付け部５の突起５２ａ，５２ｂ及び凹部５３と、カバーストッパ６の突起６５と凸部６６の配置関係は、カバーストッパ６が係止位置にある場合に、突起６５が突起５２ａに当接し、かつ、凸部６６が凹部５３の一方の壁面に当接し、また、カバーストッパ６が解除位置にある場合に、突起６５が突起５２ｂに当接し、かつ、凸部６６が凹部５３の他方の壁面に当接する位置となるように設計される。
【００２２】
次に、カバーストッパ６のストッパ取り付け部５への取り付けについて説明する。
図５はこの発明の実施の形態１におけるカバーストッパ６をストッパ取り付け部５に取り付けた状態を示す断面図である。
カバーストッパ６をストッパ取り付け部５に取り付ける場合には、スリット部６３によってカバーストッパ６の先端側を中心方向に弾性変形させて、ストッパ取り付け部５に挿入する。
次いで、係合部６１を段差部５１の位置まで押し込むと、弾性変形が戻る。これにより、図５に示すように、係合部６１が段差部５１に係合して、カバーストッパ６がストッパ取り付け部５から抜けなくなる。
【００２３】
次に、監視カメラ装置の設置について説明する。
図６はこの発明の実施の形態１におけるフック６４と係止体１１との係止を示す斜視図である。
監視カメラ装置を設置する際には、まず、ベース１をネジ等により天井、壁面などの所定の設置位置に設置する。次いで、ベース１にカメラユニット２を取り付ける。
次いで、ヒンジ４を介してベース１に連結されたカバー３を、カメラユニット２を覆うようにベース１に被せて、カバーストッパ６によりロックする。
【００２４】
ここで、カバーストッパ６によりカバー３とベース１をロックする際には、回動操作部６２にドライバーなどの工具を挿し込み係止方向に回動させる。これによって、図６に示すように、フック６４が係止体１１に移動し係止されるため、カバー３とベース１をロックすることができる。
【００２５】
図７はこの発明の実施の形態１におけるカバーストッパ６が係止位置にある状態を示す（ａ）斜視図であり、（ｂ）カバーストッパ６を回動軸に垂直な平面で切断した断面図である。
カバー３とベース１とがロックされるようにカバーストッパ６を係止位置まで回動させた場合には、図７に示すように、突起６５と突起５２ａとの接点から前記ストッパの後端側方向に間隙６８が形成され、突起６５は突起５２ａを乗り越えて突起５２ａに当接する。これにより、カバーストッパ６の係止解除方向への回動が抑制されるため、振動などによってカバー３とベース１とのロックは外れない。また、凸部６６が凹部５３の一方の壁部に当接するため、カバーストッパ６の逆方向への回動も抑制される。
【００２６】
同様に、カバー３とベース１とのロックが解除されて、カバーストッパ６を解除位置まで回動させた場合には、突起６５は突起５２ｂを乗り越えて突起５２ｂに当接する。これにより、カバーストッパ６の係止方向への回動が抑制される。また、凸部６６が凹部５３の他方の壁部に当接するため、カバーストッパ６の逆方向への回動も抑制される。
【００２７】
以上のように、この実施の形態１によれば、ストッパ取り付け部５に突起５２ａ，５２ｂを形成し、カバーストッパ６に突起６５を形成して、カバーストッパ６が係止位置に回動する際に突起６５が突起５２ａを乗り越えて突起５２ａに当接して、カバーストッパ６の係止解除方向への回動を抑制するように構成したので、バネを用いることなく回動抑制機能を実現することができ、部品点数の削減及び組み立て作業の時間短縮を図ることができる。
【００２８】
また、カバーストッパ６をストッパ取り付け部５に取り付ける際に、スリット部６３によってカバーストッパ６の先端側を弾性変形させてストッパ取り付け部５に挿入して、係合部６１を段差部５１に係合させるように構成してスナップフィットで取り付けることで、金具またはナットが不要となり部品点数の削減でき、ワンタッチで組み立て可能なため組み立て作業の時間短縮を図ることができる。
【００２９】
実施の形態２．
図８はこの発明の実施の形態２に係るロック機構を有する監視カメラ装置の構成を示す斜視図である。
図８に示す実施の形態２に係る監視カメラ装置は、図１に示す実施の形態１に係る監視カメラ装置の構成に、ベース１に一体形成されたツメ部１２と、カバー３に一体形成された突起５４を追加したものである。その他の構成は同様であり、同一の符号を付してその説明を省略する。
このツメ部１２と突起５４は、カバー３をベース１に被せた際に係合して、カバー３をベース１に被せた状態で保持するものである。
【００３０】
以上のように、この実施の形態２によれば、カバー３をベース１に被せた際に、ツメ部１２と突起５４をスナップフィットで係合させるように構成したので、カバーストッパ６を工具で回動させてカバー３とベース１とをロックする際に、カバー３がベース１から外れないように支えておく必要がなくなり、組み立て作業をより容易に行うことができる。
【００３１】
なお、実施の形態１，２に係るロック機構では、ベース１に係止体１１を設け、カバー３にフック６４を有するカバーストッパ６を取り付けて説明を行ったが、カバー３に係止体１１を設けて、ベース１にフック６４を有するストッパを取り付けるように構成してもよい。
【００３２】
また、実施の形態１，２に係るロック機構では、カメラユニット２を収容した監視カメラ装置に適用した場合について示したが、これに限るものではなく、その他の機器を収容した装置に適用するように構成してもよい。
【符号の説明】
【００３３】
１  ベース、２  カメラユニット、３  カバー、４  ヒンジ、５  ストッパ取り付け部、６  カバーストッパ、１１  係止体、１２  ツメ部、２１  レンズ、５１  段差部、５２ａ，５２ｂ  突起、５３  凹部、５４  突起、６１  係合部、６２  回動操作部、６３  スリット部、６４  フック、６５  突起、６６  凸部、６７  鍔状部、６８  間隙。
【図１】
0005517684.tif 000002
【図２】
0005517684.tif 000003
【図３】
0005517684.tif 000004
【図４】
0005517684.tif 000005
【図５】
0005517684.tif 000006
【図６】
0005517684.tif 000007
【図７】
0005517684.tif 000008
【図８】
0005517684.tif 000009